(57)【要約】【課題】  画像処理装置に処理を実行させるための設定を容易にすること。【解決手段】  携帯情報装置は、ジョブを実行させるＭＦＰを識別するための装置識別情報と、ＭＦＰに予め定められた設定値である固有設定値と、を取得する設定前取得部２５１と、設定値を設定する設定部２５３と、設定された設定値に基づいてジョブを生成するジョブ生成部２５５と、生成されたジョブを、設定前取得部２５１により取得された装置識別情報で特定されるＭＦＰに送信するジョブ送信部２５７と、を備え、設定部２５３は、設定前取得部２５１により固有設定値が取得されることに応じて、取得された固有設定値を設定する初期設定部２７１を含む。【選択図】        図６
2016072774.tif 000002
【特許請求の範囲】
【請求項１】
ジョブを実行させる画像処理装置を識別するための装置識別情報と、前記画像処理装置に予め定められた設定値である固有設定値と、を取得する設定前取得手段と、
設定値を設定する設定手段と、
前記設定された設定値に基づいてジョブを生成するジョブ生成手段と、
前記生成されたジョブを、前記設定前取得手段により取得された装置識別情報で特定される画像処理装置に送信するジョブ送信手段と、を備え、
前記設定手段は、前記設定前取得手段により前記固有設定値が取得されることに応じて、前記取得された固有設定値を設定する初期設定手段を含む、携帯情報装置。
【請求項２】
設定値の入力を受け付けるための設定画面を表示する設定画面表示手段を、さらに備え、
前記設定画面表示手段は、前記初期設定手段により前記固有設定値が設定された後に、前記設定画面を表示する、請求項１に記載の携帯情報装置。
【請求項３】
所定の距離の範囲内で通信可能な第１の通信手段を、さらに備え、
前記設定前取得手段は、ジョブを実行させる画像処理装置の装置識別情報と前記固有設定値とを記憶するＮＦＣタグと、前記第１の通信手段が通信可能となることに応じて、前記第１の通信手段を制御して、前記ＮＦＣタグから前記装置識別情報と前記固有設定値とを受信する受信制御手段と、を含む、請求項１または２に記載の携帯情報装置。
【請求項４】
前記第１の通信手段とは別の第２の通信手段と、
前記第２の通信手段を制御して、前記設定前取得手段により取得された前記装置識別情報を用いて前記画像処理装置と通信回線を確立する通信制御手段と、をさらに備え、
前記ジョブ送信手段は、前記通信制御手段により確立された通信回線を用いて前記ジョブを送信する、請求項３に記載の携帯情報装置。
【請求項５】
所定の距離の範囲内で通信可能な第１の通信手段と、
前記第１の通信手段とは別の第２の通信手段と、
前記第２の通信手段を制御して、前記設定前取得手段により取得された前記装置識別情報を用いて前記画像処理装置と通信回線を確立する通信制御手段と、をさらに備え、
前記設定前取得手段は、前記画像処理装置と、前記第１の通信手段が通信可能となることに応じて、前記第１の通信手段を制御して、前記画像処理装置から前記装置識別情報と前記固有設定値とを受信する受信制御手段と、を含み、
前記ジョブ送信手段は、前記通信制御手段により確立された通信回線を用いて前記ジョブを送信する、請求項１または２に記載の携帯情報装置。
【請求項６】
所定の距離の範囲内で通信可能な近距離通信手段と、
前記近距離通信手段を制御して、ジョブを実行させる画像処理装置と通信可能になることに応じて、前記画像処理装置と通信回線を確立する近距離通信制御手段と、をさらに備え、
前記設定前取得手段は、前記近距離通信制御手段により確立された通信回線を用いて、前記通信可能となった画像処理装置から前記画像処理装置の装置識別情報と前記固有設定値を受信する受信制御手段を含み、
前記ジョブ送信手段は、前記受信制御手段が用いた通信回線と同じ通信回線を用いて前記ジョブを送信する、前記請求項１または２に記載の携帯情報装置。
【請求項７】
ジョブを実行させる画像処理装置が表示する二次元バーコードを読み取るコード読取手段を、さらに備え、
前記設定前取得手段は、前記コード読取手段により読み取られた二次元バーコードに基づいて、前記画像処理装置の装置識別情報および固有設定値を取得する、請求項１または２に記載の携帯情報装置。
【請求項８】
前記設定前取得手段は、前記装置識別情報と前記固有設定値とに加えて、設定値を変更不可であることを定める制限情報と、を取得し、
前記設定手段は、前記設定前取得手段により前記制限情報が取得される場合、前記初期設定手段により前記固有設定値が設定された後に、前記固有設定値の変更を制限する制限手段をさらに含む、請求項１〜６のいずれかに記載の携帯情報装置。
【請求項９】
ジョブを実行する画像処理装置と、前記画像処理装置を遠隔制御する遠隔制御装置と、を含む画像処理システムであって、
前記画像処理装置は、
所定の距離の範囲内で通信可能な第１の装置側通信手段と、
前記画像処理装置を識別するための装置識別情報と、前記画像処理装置に予め定められた設定値である固有設定値と、を記憶する記憶手段と、
前記第１の装置側通信手段が前記遠隔制御装置と通信可能になることに応じて、前記記憶された装置識別情報と前記固有設定値とを、前記第１の装置側通信手段を制御して前記遠隔制御装置に送信する装置側送信手段と、
前記第１の装置側通信手段とは別の第２の装置側通信手段と、
前記第２の装置側通信手段が前記遠隔操作装置からジョブを受信する場合、前記受信されたジョブを実行するジョブ実行手段と、を備え、
前記遠隔制御装置は、
設定値を設定する設定手段と、
前記設定された設定値に基づいてジョブを生成するジョブ生成手段と、
前記第１の装置側通信手段と通信可能な第１の通信手段と、
前記第１の通信手段とは別の第２の通信手段と、
前記第１の通信手段が前記第１の装置側通信手段と通信可能となることに応じて、前記第１の通信手段を制御して、前記画像処理装置から前記装置識別情報と前記固有設定値とを受信する受信制御手段と、
前記第２の通信手段を制御して、前記受信制御手段により取得された前記装置識別情報を用いて前記画像処理装置と通信回線を確立する通信制御手段と、
前記生成されたジョブを前記通信制御手段により確立された通信回線を用いて送信するジョブ送信手段と、を備え、
前記設定手段は、前記受信制御手段により前記固有設定値が受信されることに応じて、前記取得された固有設定値を設定する初期設定手段を含む、画像処理システム。
【請求項１０】
ジョブを実行させる画像処理装置を識別するための装置識別情報と、前記画像処理装置に予め定められた設定値である固有設定値と、を取得する設定前取得ステップと、
設定値を設定する設定ステップと、
前記設定された設定値に基づいてジョブを生成するジョブ生成ステップと、
前記生成されたジョブを、前記設定前取得手段により取得された装置識別情報で特定される画像処理装置に送信するジョブ送信ステップと、を画像処理装置に実行させ、
前記設定ステップは、前記設定前取得ステップにおいて前記固有設定値が取得されることに応じて、前記取得された固有設定値を設定する初期設定ステップを含む、遠隔操作方法。
【請求項１１】
ジョブを実行させる画像処理装置を識別するための装置識別情報と、前記画像処理装置に予め定められた設定値である固有設定値と、を取得する設定前取得ステップと、
設定値を設定する設定ステップと、
前記設定された設定値に基づいてジョブを生成するジョブ生成ステップと、
前記生成されたジョブを、前記設定前取得手段により取得された装置識別情報で特定される画像処理装置に送信するジョブ送信ステップと、を画像処理装置を制御するコンピュータに実行させ、
前記設定ステップは、前記設定前取得ステップにおいて前記固有設定値が取得されることに応じて、前記取得された固有設定値を設定する初期設定ステップを含む、遠隔操作プログラム。
【発明の詳細な説明】
【技術分野】
【０００１】
この発明は、携帯情報装置、画像処理システム、遠隔操作方法および遠隔操作プログラムに関し、特に、画像処理装置を遠隔制御可能な携帯情報装置、その携帯情報装置および画像処理装置を含む画像処理システム、その携帯情報装置で実行される遠隔操作方法および遠隔操作プログラムに関する。
【背景技術】
【０００２】
近年、スマートフォンで代表される携帯情報装置は、ＮＦＣ（近距離無線通信）方式で通信する機能を備えており、ＮＦＣ対応の装置にスマートフォンを近づけることによって、その装置に種々の処理を実行させる技術が知られている。
【０００３】
例えば、特開２０１４−０９０２３８号公報には、第１通信装置と，前記第１通信装置と通信を行う第２通信装置とを備える画像処理システムにおいて，前記第１通信装置は，第１の通信方式に従って無線通信を行う第１近距離通信部と，前記第１の通信方式よりも通信距離が長い第２の通信方式に従って無線通信を行う第１遠距離通信部と，を備え，前記第２通信装置は，前記第１の通信方式に従って無線通信を行う第２近距離通信部と，前記第２の通信方式に従って無線通信を行う第２遠距離通信部と，を備え，前記第１通信装置と前記第２通信装置との一方の装置に実行させるジョブの実行条件を満たしている状態で，前記第１通信装置と前記第２通信装置との間に，前記第１の通信方式に従う無線通信である近距離通信が確立した場合，前記近距離通信によって，前記第２の通信方式に従う無線通信である遠距離通信の確立に利用する接続情報と，前記第１通信装置から得られる特定情報との受け渡しを，前記第１通信装置と前記第２通信装置との間で実行する先行通信処理と，前記特定情報の受け渡しを行った後，前記ジョブを完了させるための処理の少なくとも一部を開始する先行開始処理と，前記接続情報の受け渡しを行った後，前記接続情報を利用して，前記第１通信装置と前記第２通信装置との間で前記遠距離通信を確立させる確立処理と，前記遠距離通信によって，前記第１通信装置と前記第２通信装置との間で，前記ジョブに基づく画像データを受け渡す後続通信処理と，を行うことを特徴とする画像処理システムが記載されている。
【０００４】
一方、画像処理装置が有する機能の一部を制限する場合がある。例えば、コストの高いカラー印刷を禁止する場合、プリント枚数を削減するために複数ページを１枚の用紙に集約してプリントする場合等である。この制限は、画像処理装置において、その画像処理装置を管理する管理者によって設定される。携帯情報装置で画像処理装置を遠隔操作する場合、携帯情報装置において画像処理装置に設定された制限と同じ制限が課されていない。このため、携帯情報装置が画像処理装置を遠隔操作して画像処理装置に実行させる処理が、画像処理装置において制限された処理の場合には、画像処理装置がその処理を実行することができない。携帯情報装置において画像処理装置に対して課された制限と同じ制限を設定することも考えられるが、携帯情報装置ごとに画像処理装置に設定された制限と同じ制限を設定しなければならず、その設定作業が煩雑である。特に、ＭＦＰを遠隔制御するためのアプリケーションプログラムを携帯情報装置に容易にダウンロードできるため、携帯情報装置に画像処理装置に課された制限と同じ制限を設定する作業が困難であるといった問題がある。
【特許文献１】特開２０１４−０９０２３８号公報
【発明の概要】
【発明が解決しようとする課題】
【０００５】
この発明は上述した問題点を解決するためになされたもので、この発明の目的の一つは、画像処理装置に処理を実行させるための設定を容易にすることが可能な携帯情報装置を提供することである。
【０００６】
この発明の他の目的は、画像処理装置に処理を実行させるための設定を容易にすることが可能な画像処理システムを提供することである。
【０００７】
この発明のさらに他の目的は、画像処理装置に処理を実行させるための設定を容易にすることが可能な遠隔操作方法を提供することである。
【０００８】
この発明のさらに他の目的は、画像処理装置に処理を実行させるための設定を容易にすることが可能な遠隔操作プログラムを提供することである。
【課題を解決するための手段】
【０００９】
上述した目的を達成するためにこの発明のある局面によれば、携帯情報装置は、ジョブを実行させる画像処理装置を識別するための装置識別情報と、画像処理装置に予め定められた設定値である固有設定値と、を取得する設定前取得手段と、設定値を設定する設定手段と、設定された設定値に基づいてジョブを生成するジョブ生成手段と、生成されたジョブを、設定前取得手段により取得された装置識別情報で特定される画像処理装置に送信するジョブ送信手段と、を備え、設定手段は、設定前取得手段により固有設定値が取得されることに応じて、取得された固有設定値を設定する初期設定手段を含む。
【００１０】
この局面に従えば、装置識別情報と固有設定値とが取得され、固有設定値が設定され、設定された設定値に基づいてジョブが生成され、生成されたジョブが取得された装置識別情報で特定される画像処理装置に送信される。このため、画像処理装置に予め定められた設定値である固有設定値に基づいて生成されたジョブが画像処理装置に送信されるので、画像処理装置で実行可能なジョブを実行させることができる。その結果、画像処理装置に処理を実行させるための設定を容易にすることが可能な携帯情報装置を提供することができる。
【００１１】
好ましくは、設定値の入力を受け付けるための設定画面を表示する設定画面表示手段を、さらに備え、設定画面表示手段は、初期設定手段により固有設定値が設定された後に、設定画面を表示する。
【００１２】
この局面に従えば、固有設定値が設定された後に、設定画面が表示されるので、ユーザーが設定値を設定する前に、固有設定値をユーザーに知らせることができる。
【００１３】
好ましくは、所定の距離の範囲内で通信可能な第１の通信手段を、さらに備え、設定前取得手段は、ジョブを実行させる画像処理装置の装置識別情報と固有設定値とを記憶するＮＦＣタグと、第１の通信手段が通信可能となることに応じて、第１の通信手段を制御して、ＮＦＣタグから装置識別情報と固有設定値とを受信する受信制御手段と、を含む。
【００１４】
この局面に従えば、ＮＦＣタグと、通信可能となることに応じて、ＮＦＣタグから装置識別情報と固有設定値とが受信される。このため、携帯情報装置をＮＦＣタグに近づける操作で、携帯情報装置に画像処理装置に設定された固有設定値を設定することができる。
【００１５】
好ましくは、第１の通信手段とは別の第２の通信手段と、第２の通信手段を制御して、設定前取得手段により取得された装置識別情報を用いて画像処理装置と通信回線を確立する通信制御手段と、をさらに備え、ジョブ送信手段は、通信制御手段により確立された通信回線を用いてジョブを送信する。
【００１６】
この局面に従えば、ＮＦＣタグから受信された装置識別情報を用いて画像処理装置と通信回線が確立され、確立された通信回線を用いてジョブが送信される。このため、携帯情報装置をＮＦＣタグに近づける操作で、携帯情報装置から画像形成装置にジョブを送信可能となる。
【００１７】
好ましくは、所定の距離の範囲内で通信可能な第１の通信手段と、第１の通信手段とは別の第２の通信手段と、第２の通信手段を制御して、設定前取得手段により取得された装置識別情報を用いて画像処理装置と通信回線を確立する通信制御手段と、をさらに備え、設定前取得手段は、画像処理装置と、第１の通信手段が通信可能となることに応じて、第１の通信手段を制御して、画像処理装置から装置識別情報と固有設定値とを受信する受信制御手段と、を含み、ジョブ送信手段は、通信制御手段により確立された通信回線を用いてジョブを送信する。
【００１８】
この局面に従えば、画像形成装置から所定の距離の範囲内に携帯情報装置を近づけると、画像処理装置から装置識別情報と固有設定値とが受信され、装置識別情報を用いて画像処理装置と通信回線が確立され、確立された通信回線を用いてジョブが送信される。このため、画像形成装置から所定の距離の範囲内に携帯情報装置を近づける操作で、携帯情報装置に画像処理装置に設定された固有設定値を設定することができ、携帯情報装置から画像形成装置にジョブを送信可能となる。その結果、画像形成装置を遠隔操作する場合の操作を容易にすることができる。
【００１９】
好ましくは、所定の距離の範囲内で通信可能な近距離通信手段と、近距離通信手段を制御して、ジョブを実行させる画像処理装置と通信可能になることに応じて、画像処理装置と通信回線を確立する近距離通信制御手段と、をさらに備え、設定前取得手段は、近距離通信制御手段により確立された通信回線を用いて、通信可能となった画像処理装置から画像処理装置の装置識別情報と固有設定値を受信する受信制御手段を含み、ジョブ送信手段は、受信制御手段が用いた通信回線と同じ通信回線を用いてジョブを送信する。
【００２０】
この局面に従えば、画像形成装置から所定の距離の範囲内に携帯情報装置を近づけると、画像処理装置と通信可能になり、装置識別情報と固有設定値とが受信され、ジョブが送信される。このため、ユーザーは携帯情報装置を携帯して画像形成装置から所定の距離の範囲内に移動すれば、携帯情報装置に画像処理装置に設定された固有設定値を設定することができ、携帯情報装置から画像形成装置にジョブを送信可能となる。その結果、画像形成装置を遠隔操作する場合の操作を容易にすることができる。
【００２１】
好ましくは、ジョブを実行させる画像処理装置が表示する二次元バーコードを読み取るコード読取手段を、さらに備え、設定前取得手段は、コード読取手段により読み取られた二次元バーコードに基づいて、画像処理装置の装置識別情報および固有設定値を取得する。
【００２２】
この局面に従えば、画像処理装置が表示する二次元バーコードが読み取られ、二次元バーコードに基づいて、画像処理装置の装置識別情報および固有設定値が取得される。このため、画像形成装置に表示された二次元バーコードを読み取らせる操作で、携帯情報装置に画像処理装置に設定された固有設定値を設定することができ、携帯情報装置から画像形成装置にジョブを送信可能となる。
【００２３】
好ましくは、設定前取得手段は、装置識別情報と固有設定値とに加えて、設定値を変更不可であることを定める制限情報と、を取得し、設定手段は、設定前取得手段により制限情報が取得される場合、初期設定手段により固有設定値が設定された後に、固有設定値の変更を制限する制限手段をさらに含む。
【００２４】
この局面に従えば、装置識別情報と固有設定値とに加えて、設定値を変更不可であることを定める制限情報が取得され、制限情報が取得される場合、固有設定値が設定された後に、固有設定値の変更が制限される。このため、携帯情報装置で設定可能な設定値を、画像形成装置で設定可能な範囲に制限することができる。
【００２５】
この発明の他の局面によれば、画像処理システムは、ジョブを実行する画像処理装置と、画像処理装置を遠隔制御する遠隔制御装置と、を含む画像処理システムであって、画像処理装置は、所定の距離の範囲内で通信可能な第１の装置側通信手段と、画像処理装置を識別するための装置識別情報と、画像処理装置に予め定められた設定値である固有設定値と、を記憶する記憶手段と、第１の装置側通信手段が遠隔制御装置と通信可能になることに応じて、記憶された装置識別情報と固有設定値とを、第１の装置側通信手段を制御して遠隔制御装置に送信する装置側送信手段と、第１の装置側通信手段とは別の第２の装置側通信手段と、第２の装置側通信手段が遠隔操作装置からジョブを受信する場合、受信されたジョブを実行するジョブ実行手段と、を備え、遠隔制御装置は、設定値を設定する設定手段と、設定された設定値に基づいてジョブを生成するジョブ生成手段と、第１の装置側通信手段と通信可能な第１の通信手段と、第１の通信手段とは別の第２の通信手段と、第１の通信手段が第１の装置側通信手段と通信可能となることに応じて、第１の通信手段を制御して、画像処理装置から装置識別情報と固有設定値とを受信する受信制御手段と、第２の通信手段を制御して、受信制御手段により取得された装置識別情報を用いて画像処理装置と通信回線を確立する通信制御手段と、生成されたジョブを通信制御手段により確立された通信回線を用いて送信するジョブ送信手段と、を備え、設定手段は、受信制御手段により固有設定値が受信されることに応じて、取得された固有設定値を設定する初期設定手段を含む。
【００２６】
この局面に従えば、画像処理装置に処理を実行させるための設定を容易にすることが可能な画像処理システムを提供することができる。
【００２７】
この発明のさらに他の局面によれば、遠隔操作方法は、ジョブを実行させる画像処理装置を識別するための装置識別情報と、画像処理装置に予め定められた設定値である固有設定値と、を取得する設定前取得ステップと、設定値を設定する設定ステップと、設定された設定値に基づいてジョブを生成するジョブ生成ステップと、生成されたジョブを、設定前取得手段により取得された装置識別情報で特定される画像処理装置に送信するジョブ送信ステップと、を画像処理装置に実行させ、設定ステップは、設定前取得ステップにおいて固有設定値が取得されることに応じて、取得された固有設定値を設定する初期設定ステップを含む。
【００２８】
この局面に従えば、画像処理装置に処理を実行させるための設定を容易にすることが可能な遠隔操作方法を提供することができる。
【００２９】
この発明のさらに他の局面によれば、遠隔操作プログラムは、ジョブを実行させる画像処理装置を識別するための装置識別情報と、画像処理装置に予め定められた設定値である固有設定値と、を取得する設定前取得ステップと、設定値を設定する設定ステップと、設定された設定値に基づいてジョブを生成するジョブ生成ステップと、生成されたジョブを、設定前取得手段により取得された装置識別情報で特定される画像処理装置に送信するジョブ送信ステップと、を画像処理装置を制御するコンピュータに実行させ、設定ステップは、設定前取得ステップにおいて固有設定値が取得されることに応じて、取得された固有設定値を設定する初期設定ステップを含む。
【００３０】
この局面に従えば、画像処理装置に処理を実行させるための設定を容易にすることが可能な遠隔操作プログラムを提供することができる。
【図面の簡単な説明】
【００３１】
【図１】本発明の実施の形態の１つにおける画像処理システムの全体概要を示す図である。
【図２】ＭＦＰの外観を示す図である。
【図３】第１の実施の形態における携帯情報装置が備えるＣＰＵの機能の一例を示すブロック図である。ＭＦＰのハードウェア構成の概要を示すブロック図である。
【図４】操作パネルの一例を示す平面図である。
【図５】第１の実施の形態における携帯情報装置のハードウェア構成の概要を示すブロック図である。
【図６】第１の実施の形態における携帯情報装置が備えるＣＰＵの機能の一例を示すブロック図である。
【図７】第１の実施の形態におけるＭＦＰが備えるＣＰＵの機能の一例を示すブロック図である。
【図８】第１の実施の形態における遠隔操作処理の一例を示すフローチャートである。
【図９】第１の実施の形態における遠隔制御処理の流れの一例を示すフローチャートである。
【図１０】第１の実施の形態の変形例におけるＭＦＰが備えるＣＰＵの機能の一例を示すブロック図である。
【図１１】第２の実施の形態におけるＭＦＰが備えるハードウェアの構成の一例を示す図である。
【図１２】第２の実施の形態における携帯情報装置が備えるＣＰＵの機能の一例を示す図である。
【図１３】第２の実施の形態におけるＭＦＰが備えるＣＰＵの機能の一例を示す図である。
【図１４】第２の実施の形態における遠隔操作処理の一例を示すフローチャートである。
【図１５】第２の実施の形態における遠隔制御処理の流れの一例を示すフローチャートである。
【図１６】第３の実施の形態におけるＭＦＰが備えるハードウェアの構成の一例を示す図である。
【図１７】第３の実施の形態における携帯情報装置のハードウェア構成の一例を示す図である。
【図１８】第３の実施の形態における携帯情報装置が備えるＣＰＵの機能の一例を示す図である。
【図１９】第３の実施の形態におけるＭＦＰが備えるＣＰＵの機能の一例を示す図である。
【図２０】第３の実施の形態における遠隔操作処理の一例を示すフローチャートである。
【図２１】第３の実施の形態における遠隔制御処理の流れの一例を示すフローチャートである。
【図２２】第４の実施の形態における携帯情報装置のハードウェア構成の一例を示す図である。
【図２３】第４の実施の形態におけるＭＦＰが備えるＣＰＵの機能の一例を示す図である。
【図２４】二次元バーコードを表示した状態の操作パネルの平面図の一例を示す図である。
【図２５】第４の実施の形態における携帯情報装置が備えるＣＰＵの機能の一例を示す図である。
【図２６】第４の実施の形態における遠隔操作処理の一例を示すフローチャートである。
【発明を実施するための形態】
【００３２】
以下、本発明の実施の形態について図面を参照して説明する。以下の説明では同一の部品には同一の符号を付してある。それらの名称および機能も同じである。したがってそれらについての詳細な説明は繰返さない。
【００３３】
図１は、本発明の実施の形態の１つにおける画像処理システムの全体概要を示す図である。図１を参照して、画像処理システム１は、画像処理装置として機能する複合機（以下、「ＭＦＰ」という）１００と、携帯情報装置２００，２００Ａと、を含む。ＭＦＰ（Ｍｕｌｔｉ  Ｆｕｎｃｔｉｏｎ  Ｐｅｒｉｐｈｅｒａｌ）１００は、ネットワーク３に接続される。
【００３４】
携帯情報装置２００，２００Ａは、スマートフォン、タブレット端末、ＰＤＡ（Ｐｅｒｓｏｎａｌ  Ｄｉｇｉｔａｌ  Ａｓｓｉｓｔａｎｔｓ）など、ユーザーに携帯して使用されるコンピューターである。ここでは、携帯情報装置２００，２００Ａを、スマートフォンとする場合を例に説明する。携帯情報装置２００，２００Ａは、通話機能を備えており、携帯電話用基地局と無線で通信することにより携帯電話網に接続し、通話が可能である。
【００３５】
ネットワーク３は、ローカルエリアネットワーク（ＬＡＮ）であり、接続形態は有線または無線を問わない。また、ネットワーク３は、ＬＡＮに限らず、公衆交換電話網（Ｐｕｂｌｉｃ  Ｓｗｉｔｃｈｅｄ  Ｔｅｌｅｐｈｏｎｅ  Ｎｅｔｗｏｒｋｓ）を用いたネットワーク等であってもよい。
【００３６】
無線局５は、ネットワーク３の中継装置であり、無線ＬＡＮ通信機能を備えた携帯情報装置２００，２００Ａと通信して、携帯情報装置２００，２００Ａをネットワーク３に接続する。このため、携帯情報装置２００，２００Ａは、ＭＦＰ１００と、無線局５およびネットワーク３を介してデータの送受信が可能である。
【００３７】
なお、ＭＦＰ１００は、ネットワーク３に接続される場合を例に説明するが、インターネットに接続されてもよい。また、接続形態は有線または無線を問わない。また、図１では、画像処理システム１は、１台のＭＦＰ１００を含む場合を示しているが、台数を限定するものではなく、１台以上あればよい。また、画像処理システム１は、２台の携帯情報装置２００，２００Ａを含む場合を示しているが、台数を限定するものではなく、１台以上あればよい。携帯情報装置２００，２００Ａは、それぞれが備える機能は同じである。ここでは、特に言及しない限り、携帯情報装置２００を例に説明する。
【００３８】
本実施の形態における画像処理システム１においては、携帯情報装置２００，２００Ａ各々が、ＭＦＰ１００と通信することによって、ＭＦＰ１００を遠隔操作し、ＭＦＰ１００に処理を実行させる。ここでは、携帯情報装置２００がＭＦＰ１００を遠隔操作する場合であって、ＭＦＰ１００が実行可能な複数の処理のうち、用紙に画像を形成するプリント処理をＭＦＰ１００に実行させる場合を例に説明する。この場合、携帯情報装置２００において、ＭＦＰ１００にプリント処理を実行させるために複数の設定項目の設定値を設定する必要がある。複数の設定項目は、例えば、画像を形成する用紙の枚数を示す部数、画像の色の数を示すカラー選択、用紙に画像を形成する面を示す印刷種類、１枚の用紙に画像を形成するページの数を示すページ割付である。
【００３９】
一方、ＭＦＰ１００は、複数の設定項目それぞれに対してデフォルトで定められた設定値が、ＭＦＰ１００の管理者によって定められている。ＭＦＰ１００に管理者によって設定された複数の設定項目それぞれに対するデフォルトの設定値を、固有設定値という。
【００４０】
図２は、ＭＦＰの外観を示す図である。図３は、第１の実施の形態における携帯情報装置が備えるＣＰＵの機能の一例を示すブロック図である。ＭＦＰのハードウェア構成の概要を示すブロック図である。図２および図３を参照して、ＭＦＰ１００は、メイン回路１１０と、原稿を読み取るための原稿読取部１３０と、原稿を原稿読取部１３０に搬送するための自動原稿搬送装置１２０と、原稿読取部１３０が原稿を読み取って出力する画像データに基づいて用紙等に画像を形成するための画像形成部１４０と、画像形成部１４０に用紙を供給するための給紙部１５０と、画像が形成された用紙を処理する後処理部１５５と、ユーザーインターフェースとしての操作パネル１６０とを含む。
【００４１】
後処理部１５５は、画像形成部１４０により画像が形成された１以上の用紙を並び替えて排紙するソート処理、パンチ穴加工するパンチ処理、ステープル針を打ち込むステープル処理を実行する。
【００４２】
メイン回路１１０は、ＣＰＵ１１１と、通信インターフェース（Ｉ／Ｆ）部１１２と、ＲＯＭ１１３と、ＲＡＭ１１４と、大容量記憶装置としてのハードディスクドライブ（ＨＤＤ）１１５と、ファクシミリ部１１６と、ＣＤ−ＲＯＭ（Ｃｏｍｐａｃｔ  Ｄｉｓｃ  ＲＯＭ）１１９Ａが装着される外部記憶装置１１９と、を含む。ＣＰＵ１１１は、自動原稿搬送装置１２０、原稿読取部１３０、画像形成部１４０、給紙部１５０、後処理部１５５および操作パネル１６０と接続され、ＭＦＰ１００の全体を制御する。
【００４３】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。
【００４４】
通信Ｉ／Ｆ部１１２は、ＭＦＰ１００をネットワーク３に接続するためのインターフェースである。ＣＰＵ１１１は、通信Ｉ／Ｆ部１１２を介して、無線局５と接続された携帯情報装置２００，２００Ａとの間で通信し、データを送受信する。
【００４５】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、ＨＤＤ１１５に記憶する、または画像形成部１４０に出力する。画像形成部１４０は、ファクシミリ部１１６により受信されたファクシミリデータを用紙にプリントする。また、ファクシミリ部１１６は、ＨＤＤ１１５に記憶されたデータをファクシミリデータに変換して、ＰＳＴＮに接続されたファクシミリ装置に送信する。
【００４６】
外部記憶装置１１９は、ＣＤ−ＲＯＭ１１９Ａが装着される。ＣＰＵ１１１は、外部記憶装置１１９を介してＣＤ−ＲＯＭ１１９Ａにアクセス可能である。ＣＰＵ１１１は、外部記憶装置１１９に装着されたＣＤ−ＲＯＭ１１９Ａに記録されたプログラムをＲＡＭ１１４にロードして実行する。なお、ＣＰＵ１１１が実行するプログラムを記憶する媒体としては、ＣＤ−ＲＯＭ１１９Ａに限られず、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリーであってもよい。
【００４７】
また、ＣＰＵ１１１が実行するプログラムは、ＣＤ−ＲＯＭ１１９Ａに記録されたプログラムに限られず、ＨＤＤ１１５に記憶されたプログラムをＲＡＭ１１４にロードして実行するようにしてもよい。この場合、ネットワーク３に接続された他のコンピューターが、ＭＦＰ１００のＨＤＤ１１５に記憶されたプログラムを書換える、または、新たなプログラムを追加して書き込むようにしてもよい。さらに、ＭＦＰ１００が、ネットワーク３に接続された他のコンピューターからプログラムをダウンロードして、そのプログラムをＨＤＤ１１５に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００４８】
図４は、操作パネルの一例を示す平面図である。図４を参照して、操作パネル１６０は、表示部１６１と操作部１６３とを含む。なお、図中の点線は、後述するハードキー部１６７を示すために付したもので、実際には存在しない。表示部１６１は、液晶表示装置（ＬＣＤ）、有機ＥＬＤ（Ｅｌｅｃｔｒｏ−Ｌｕｍｉｎｅｓｃｅｎｃｅ  Ｄｉｓｐｌａｙ）等の表示装置であり、ユーザーに対する指示メニューや取得した画像データに関する情報等を表示する。
【００４９】
操作部１６３は、タッチパネル１６５と、ハードキー部１６７と、を含む。タッチパネル１６５は、表示部１６１の上面または下面に表示部１６１に重畳して設けられる。ハードキー部１６７は、複数のハードキーを含む。ハードキーは、例えば接点スイッチである。タッチパネル１６５は、表示部１６１の表示面中でユーザーにより指示された位置を検出する。
【００５０】
また、操作部１６３の上面にＮＦＣタグ１１７Ａが装着されている。ＮＦＣタグ１１７Ａは、近距離無線通信部と、メモリーとを含み、パッシブ型のタグである。ＮＦＣタグ１１７Ａは、磁界の変化による誘導電流を起電力として駆動する。ＮＦＣタグ１１７Ａが備えるメモリーには、ＭＦＰ１００を識別するための装置識別情報と、ＭＦＰ１００に固有の固有設定情報と、が記憶されている。固有設定情報については後述する。
【００５１】
ユーザーがＭＦＰ１００を操作する場合は直立した姿勢となる場合が多いので、表示部１６１の表示面、タッチパネル１６５の操作面、ＮＦＣタグ１１７Ａおよびハードキー部１６７は、上方を向いて配置される。ユーザーが表示部１６１の表示面を容易に視認することができ、ユーザーが指で操作部１６３を容易に指示することができるようにするためである。
【００５２】
なお、本実施の形態においては、ＮＦＣタグ１１７Ａが、操作部１６３の上面に貼り付けた例を説明するが、ＮＦＣタグ１１７Ａは、ＭＦＰ１００に関連付けて配置されていればよく、ＭＦＰ１００の側面に吊り下げられてもよいし、ＭＦＰ１００の近傍の壁の面に貼り付けられてもよい。
【００５３】
ＮＦＣタブ１１７Ａは、メモリーに、ＭＦＰ１００を識別するための装置識別情報と、ＭＦＰ１００の固有設定情報を記憶する。固有設定情報は、ＭＦＰ１００に管理者により設定された固有設定値と、その固有設定値が設定された設定項目と組を示す情報である。固有設定情報は、ＭＦＰ１００に対して複数の設定項目それぞれに対して管理者によって予め定められた固有設定値と、を定める。
【００５４】
固有設定情報は、設定項目の項目と、固有設定値の項目と、制限フラグの項目と、を含む。ＭＦＰ１００が実行可能な複数の処理のうちプリント処理に対する複数の設定項目は、部数の項目、カラー選択の項目、印刷種類の項目、ページ割付の項目である。部数の項目は、ＭＦＰ１００が画像形成する用紙の枚数を示す。カラー選択の項目は、ＭＦＰ１００が画像を形成する色の数の設定を示し、複数色での画像の形成を示す設定値「カラー」と、黒色の画像の形成を示す設定値「グレースケール」とのいずれかが設定される。印刷種類の項目は、画像を形成する用紙の面の設定を示し、用紙の片面に画像を形成する設定値「片面」と、用紙の両面に画像を形成する「両面」と、を含む。ページ割付の項目は、１枚の用紙に形成される画像に含まれるページ数の設定を示し、１枚の用紙に１ページの画像を形成する設定を示す設定値「ＯＦＦ」と、１枚の用紙に４ページの画像を形成する設定を示す設定値「４ｉｎ１」と、のいずれかが設定される。
【００５５】
制限フラグの項目は、設定項目に対して固有設定値以外の設定値を設定可能か否かを示す。制限フラグの項目は、設定項目に対して固有設定値以外の設定値を設定可能な場合に「変更可」が設定され、設定項目に対して固有設定値以外の設定値を設定不可の場合に「変更不可」が設定される。
【００５６】
ＮＦＣタグ１１７Ａのメモリーに記憶される装置識別情報および固有設定情報は、ＭＦＰ１００を管理する管理者がＮＦＣタグ１１７Ａのメモリーに記憶させる。例えば、管理者に携帯情報装置２００Ａが割り当てられている場合、管理者が携帯情報装置２００Ａを用いてＮＦＣタグ１１７ＡのメモリーにＭＦＰ１００の装置識別情報および固有設定情報を書き込む。なお、携帯情報装置２００Ａに限られず、ＮＦＣタグ１１７Ａにデータを書き込むことが可能な装置であれば、例えば、パーソナルコンピューター等を用いてＮＦＣタグ１１７ＡのメモリーにＭＦＰ１００の装置識別情報および固有設定情報を書き込むようにしてもよい。
【００５７】
図５は、第１の実施の形態における携帯情報装置のハードウェア構成の概要を示すブロック図である。図５を参照して、本実施の形態における携帯情報装置２００は、携帯情報装置２００の全体を制御するためのＣＰＵ２０１と、カメラ２０２と、データを不揮発的に記憶するフラッシュメモリ２０３と、通話部２０５と接続された無線通信部２０４と、画像を表示する表示部２０６と、ユーザーの操作を受け付ける操作部２０７と、無線ＬＡＮＩ／Ｆ２０８と、第１携帯側通信部２０９と、外部記憶装置２１１と、を含む。
【００５８】
表示部２０６は、液晶表示装置（ＬＣＤ）、有機ＥＬＤ等の表示装置であり、ユーザーに対する指示メニューや取得した画像データに関する情報等を表示する。操作部２０７は、メインキー２０７Ａと、タッチパネル２０７Ｂとを備える。また、ユーザーが、表示部２０６の表示面を指示する場合、操作部２０７は、タッチパネル２０７Ｂにより検出される表示面の位置をＣＰＵ２０１に出力する。ＣＰＵ２０１は、タッチパネル２０７Ｂによる検出された位置に基づいて、表示部２０６に表示されている画面中でユーザーにより指示された位置を検出する。ＣＰＵ２０１は、表示部２０６に表示されている画面と、タッチパネル２０７Ｂによる検出された位置とに基づいて、ユーザーの操作による各種の指示、文字、数字などのデータの入力を受け付ける。例えば、表示部２０６にテンキーの画像を含む画面を表示する場合には、タッチパネル２０７Ｂによる検出された位置に表示されたキーに対応する数字を受け付ける。
【００５９】
カメラ２０２は、レンズおよび光電変換素子を備え、レンズで集光した光を光電変換素子に結像し、光電変換素子は受光した光を光電変換して画像データをＣＰＵ２０１に出力する。光電変換素子は、ＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサー、ＣＣＤ（Ｃｈａｒｇｅ  Ｃｏｕｐｌｅｄ  Ｄｅｖｉｃｅ）センサー等である。
【００６０】
無線通信部２０４は、電話通信網に接続された携帯電話用基地局と無線通信する。無線通信部２０４は、携帯情報装置２００を電話通信網に接続し、通話部２０５を用いた通話を可能とする。無線通信部２０４は、携帯電話用基地局から受信した無線信号を復調した音声信号を復号して通話部２０５に出力する。また、無線通信部２０４は、通話部２０５から入力される音声を符号化し、携帯電話用基地局に送信する。通話部２０５は、マイクおよびスピーカーを備え、無線通信部２０４から入力される音声をスピーカーから出力し、マイクから入力される音声を無線通信部２０４に出力する。さらに、無線通信部２０４は、ＣＰＵ２０１により制御され、携帯情報装置２００を電子メールサーバーに接続し、電子メールを送受信する。
【００６１】
無線ＬＡＮＩ／Ｆ２０８は、携帯情報装置２００をＷｉ−Ｆｉ規格に基づき無線通信するインターフェースである。携帯情報装置２００に、ＭＦＰ１００それぞれのＩＰ（Ｉｎｔｅｒｎｅｔ  Ｐｒｏｔｏｃｏｌ）アドレスを登録しておくことにより、携帯情報装置２００は、ＭＦＰ１００と通信することができ、データの送受信が可能となる。
【００６２】
フラッシュメモリ２０３は、ＣＰＵ２０１が実行するプログラム、またはそのプログラムを実行するために必要なデータを記憶する。ＣＰＵ２０１は、フラッシュメモリ２０３に記録されたプログラムを、ＣＰＵ２０１が備えるＲＡＭにロードして実行する。また、フラッシュメモリ２０３は、携帯情報装置２００を識別するための装置識別情報、および携帯情報装置２００を使用するユーザーとして割り当てられたユーザーを識別するためのユーザー識別情報を記憶する。
【００６３】
第１携帯側通信部２０９は、ＮＦＣ規格に基づき、ＭＦＰ１００との間の距離が第１の距離以下となると通信する。第１の距離は、例えば、１０ｍ以上である。なお、第１装置側通信部１１７は、Ｂｌｕｅｔｏｏｔｈ（登録商標）規格またはＩｒＤＡ（Ｉｎｆｒａｒｅｄ  Ｄａｔａ  Ａｓｓｏｃｉａｔｉｏｎ）規格等に基づき無線通信するインターフェースであってもよい。
【００６４】
外部記憶装置２１１は、携帯情報装置２００に着脱自在であり、携帯側連携プログラムを記憶したＣＤ−ＲＯＭ２１０Ａが装着可能である。ＣＰＵ２０１は、外部記憶装置２１１を介してＣＤ−ＲＯＭ２１０Ａにアクセス可能である。ＣＰＵ２０１は、外部記憶装置２１１に装着されたＣＤ−ＲＯＭ２１０Ａに記録されたプログラムを、ＣＰＵ２０１が備えるＲＡＭにロードして実行することが可能である。
【００６５】
なお、ＣＰＵ２０１が実行するプログラムを記憶する媒体としては、ＣＤ−ＲＯＭ２１１Ａに限られず、光ディスク（ＭＯ／ＭＤ／ＤＶＤ）、ＩＣカード、光カード、マスクＲＯＭ、ＥＰＲＯＭ、ＥＥＰＲＯＭなどの半導体メモリーであってもよい。
【００６６】
なお、ＣＰＵ２０１が実行するプログラムとして、フラッシュメモリ２０３またはＣＤ−ＲＯＭ２１０Ａに記録されたプログラムについて説明したが、インターネットに接続された他のコンピューターが、フラッシュメモリ２０３に記憶されたプログラムを書換えたプログラム、または、追加して書き込んだ新たなプログラムであってもよい。さらに、携帯情報装置２００が、インターネットに接続された他のコンピューターからダウンロードしたプログラムでもよい。ここでいうプログラムは、ＣＰＵ２０１が直接実行可能なプログラムだけでなく、ソースプログラム、圧縮処理されたプログラム、暗号化されたプログラム等を含む。
【００６７】
図６は、第１の実施の形態における携帯情報装置が備えるＣＰＵの機能の一例を示すブロック図である。図６に示す機能は、携帯情報装置２００が備えるＣＰＵ２０１が遠隔操作プログラムを実行することにより、ＣＰＵ２０１に形成される。図６を参照して、携帯情報装置２００が備えるＣＰＵ２０１は、設定前取得部２５１と、設定値を設定する設定部２５３と、設定値に基づいてジョブを生成するジョブ生成部２５５と、ジョブをＭＦＰ１００に送信するジョブ送信部２５７と、通信制御部２５９と、を含む。
【００６８】
設定前取得部２５１は、ＭＦＰ１００の装置識別情報と固有設定情報とを取得する。設定前取得部２５１は、受信制御部２６１を含む。受信制御部２６１は、第１携帯側通信部２０９を制御して、第１携帯側通信部２０９がＮＦＣタグ１１７Ａと通信可能になると、ＮＦＣタグ１１７Ａから装置識別情報と固有設定情報とを受信させる。換言すれば、受信制御部２６１は、携帯情報装置２００がＮＦＣタグ１１７Ａから第１の距離以内に近づくと、ＮＦＣタグ１１７Ａから装置識別情報と固有設定情報とを受信する。受信制御部２６１は、ＮＦＣタグ１１７Ａから受信されたＭＦＰ１００の装置識別情報を、通信制御部２５９に出力し、ＮＦＣタグ１１７Ａから受信されたＭＦＰ１００の固有設定情報を設定部２５３に出力する。
【００６９】
設定部２５３は、複数の設定項目に設定値を設定し、複数の設定項目それぞれの設定値をジョブ生成部２５５に出力する。ＭＦＰ１００が実行可能な複数の処理のうちプリント処理に対する複数の設定項目は、部数の項目、カラー選択の項目、印刷種類の項目、ページ割付の項目である。設定部２５３は、最初に、部数の項目、カラー選択の項目、印刷種類の項目、ページ割付の項目それぞれに、携帯情報装置２００においてデフォルトで定められた設定値を設定する。
【００７０】
設定部２５３は、初期設定部２７１と、変更部２７３と、制限部２７５と、を含む。初期設定部２７１は、受信制御部２６１から固有設定情報が入力されることに応じて、固有設定情報に含まれる固有設定値を、それに対応する設定項目に設定する。初期設定部２７１は、後述する変更部２７３によって設定画面が表示部２０６に表示される前に、固有設定情報に含まれる固有設定値を、それに対応する設定項目に設定する。具体的には、部数の項目、カラー選択の項目、印刷種類の項目、ページ割付の項目それぞれに、携帯情報装置２００においてデフォルトで定められた設定値を、固有設定情報に含まれる固有設定値で更新する。
【００７１】
制限部２７５は、受信制御部２６１から固有設定情報が入力される。制限部２７５は、固有設定情報に含まれる複数の設定項目のうち制限フラグの項目に「変更不可」が設定されている設定項目に対する設定値に対して、変更部２７３による変更を制限する。制限部２７５は、制限部２７５は、固有設定情報に含まれる複数の設定項目のうち制限フラグの項目に「変更不可」が設定されている設定項目の項目識別情報を変更部２７３に出力する。
【００７２】
変更部２７３は、設定値を設定するための設定画面を表示部２０６に表示し、ユーザーが設定画面に従って操作部２０７に設定値を変更する操作を入力すれば、ユーザーにより変更された後の設定値を設定する。例えば、変更部２７３は、設定項目にデフォルトの設定値が設定されていれば、デフォルトの設定値を、ユーザーにより変更された設定値で更新する。変更部２７３は、設定項目に固有設定値が設定されていれば、その固有設定値を、制限部２７５からその設定項目の項目識別情報が入力されていないことを条件に、ユーザーにより変更された設定値で更新する。具体的には、変更部２７３は、設定項目に固有設定値が設定されおり、かつ、制限部２７５からその設定項目の項目識別情報が入力されていない場合、その固有設定値をユーザーにより変更された設定値で更新する。変更部２７３は、設定項目に固有設定値が設定されており、かつ、制限部２７５からその設定項目の項目識別情報が入力されている場合、その固有設定値を、ユーザーにより変更された設定値で更新しない。
【００７３】
また、設定部２５３は、プリント処理の処理対象となるデータを設定する。データ指定画面を表示部２０６に表示し、ユーザーがデータ指定画面に従って指定するデータを、処理対象となるデータに設定する。設定部２５３は、処理対象に設定されたデータをジョブ生成部２５５に出力する。
【００７４】
ジョブ生成部２５５は、設定部２５３から複数の設定項目ごとの設定値が入力され、設定値に基づいてジョブを生成する。また、ジョブ生成部２５５は、プリント処理のための複数の設定項目ごとの設定値が入力される場合、処理対象となるデータが設定部２５３から入力され、処理対象となるデータと、複数の設定項目ごとに設定されている設定値に基づいて、ジョブを生成する。ジョブ生成部２５５は、生成されたジョブを、ジョブ送信部２５７に出力する。
【００７５】
通信制御部２５９は、無線ＬＡＮＩ／Ｆ２０８を制御する。通信制御部２５９は、設定前取得部２５１からＭＦＰ１００の装置識別情報が入力され、無線ＬＡＮＩ／Ｆ２０８を制御して、装置識別情報を用いてＭＦＰ１００との間で通信回線を確立する。
【００７６】
ジョブ送信部２５７は、ジョブ生成部２５５から入力されるジョブを、通信制御部２５９により確立された通信回線を用いて、ＭＦＰ１００に送信する。
【００７７】
図７は、第１の実施の形態におけるＭＦＰが備えるＣＰＵの機能の一例を示す機能ブロック図である。図７に示す機能は、ＭＦＰ１００が備えるＣＰＵ１１１が遠隔制御プログラムを実行することにより、ＣＰＵ１１１に形成される。図７を参照して、ＭＦＰ１００が備えるＣＰＵ１１１は、装置側通信制御部５３と、認証部５５と、ジョブ受信部５７と、制限確認部５９と、ジョブ実行部６１と、を含む。
【００７８】
装置側通信制御部５３は、通信Ｉ／Ｆ部１１２を制御する。装置側通信制御部５３は、通信Ｉ／Ｆ部１１２が携帯情報装置２００から接続要求を受け付けると、携帯情報装置２００との間で通信回線を確立する。装置側通信制御部５３は、携帯情報装置２００との間で通信回線を確立すると、携帯情報装置２００を識別するための装置識別情報を認証部５５に出力する。
【００７９】
認証部５５は、携帯情報装置２００の装置識別情報が入力されることに応じて、携帯情報装置２００を操作するユーザーを認証する。ＨＤＤ１１５に、ＭＦＰ１００を操作する権限を与えたユーザーのユーザー識別情報と、そのユーザーに割り当てられた装置の装置識別情報との組を記憶している。認証部５５は、装置側通信制御部５３から入力される装置識別情報が、ＨＤＤ１１５に記憶されていれば、その装置識別情報と組になるユーザー識別情報で特定されるユーザーを認証し、ジョブ受信部５７に認証成功信号を出力する。以降、装置側通信制御部５３によって携帯情報装置２００との間で確立された通信回線を経由して受信されるジョブは、認証されたユーザーによる指示に基づくジョブとして扱われる。認証部５５は、装置側通信制御部５３から入力される装置識別情報が、ＨＤＤ１１５に記憶されていなければ、装置側通信制御部５３に切断指示を出力する。装置側通信制御部５３は、認証部５５から切断指示が入力されることに応じて、携帯情報装置２００との間で確立した通信回線を切断する。
【００８０】
なお、携帯情報装置２００を操作するユーザーを認証する方法は、これに限定されるものではなく、例えば、ＭＦＰ１００を操作する権限を与えたユーザーのユーザー識別情報とパスワードとの組をＨＤＤ１１５に記憶する場合、認証部５５は、ユーザー識別情報とパスワードとを要求する信号を、装置側通信制御部５３によって確立された通信回線を介して送信し、携帯情報装置２００から受信されるユーザー識別情報とパスワードとを用いて、携帯情報装置２００を操作するユーザーを認証するようにしてもよい。この場合には、携帯情報装置２００においては、通信制御部２５９は、ユーザー識別情報とパスワードとを要求する信号をＭＦＰ１００から受信することに応じて、ユーザー識別情報とパスワードとを返信し、ＭＦＰ１００によって認証される場合に、通信回線を維持することができる。ユーザー識別情報とパスワードとを、フラッシュメモリ２０３に予め記憶しておくようにしてもよいし、ユーザーが操作部２０７にユーザー識別情報とパスワードとを入力するようにしてもよい。
【００８１】
ジョブ受信部５７は、通信Ｉ／Ｆ部１１２が、装置側通信制御部５３によって携帯情報装置２００との間で確立された通信回線を介して受信するジョブを取得する。ジョブ受信部５７は、受信されたジョブを制限確認部５９に出力する。制限確認部５９は、受信されたジョブで設定されている設定値が、制限された範囲内か否かを判断する。制限確認部５９は、受信されたジョブで設定されている設定値が、制限された範囲内であることを条件に、ジョブをジョブ実行部６１に出力するが、制限された範囲外ならばジョブを廃棄する。ＨＤＤ１１５に、設定値を制限する範囲を予め定められた制限情報を記憶しておき、その制限情報を用いて、受信されたジョブで設定されている設定値が、制限された範囲内であるか否かを判断する。ＭＦＰ１００は、複数の設定項目ごとにデフォルトの設定値である固有設定値が管理者によって定められているが、その固有設定値に加えて、制限された範囲を定めておくようにすればよい。ジョブ実行部６１は、制限確認部５９からジョブが入力されることに応じて、ジョブを実行する。
【００８２】
図８は、第１の実施の形態における遠隔操作処理の一例を示すフローチャートである。遠隔操作処理は、携帯情報装置２００，２００Ａ各々が備えるＣＰＵ２０１が遠隔操作プログラムを実行することにより、ＣＰＵ２０１により実行される処理である。ここでは、携帯情報装置２００が備えるＣＰＵ２０１が遠隔操作プログラムを実行する場合を例に説明する。図８を参照して、ＣＰＵ２０１は、ＮＦＣタグ１１７Ａと通信可能になったか否かを判断する（ステップＳ０１）。第１携帯側通信部２０９がＭＦＰ１００に貼り付けられたＮＦＣタグ１１７Ａと通信可能になるまで待機状態となり（ステップＳ０１でＮＯ）、ＮＦＣタグ１１７Ａと通信可能になったならば（ステップＳ０１でＹＥＳ）、処理をステップＳ０２に進める。第１携帯側通信部２０９の通信可能な範囲は、１０数ｃｍなので、ユーザーが携帯情報装置２００をＮＦＣタグ１１７から１０数ｃｍまでＮＦＣタグ１１７に近づけると、第１携帯側通信部２０９がＮＦＣタグ１１７Ａと通信可能になる。
【００８３】
ステップＳ０２においては、第１携帯側通信部２０９を制御して、ＮＦＣタグ１１７Ａから装置識別情報と固有設定情報とを受信する。そして、固有設定情報に含まれる複数の設定項目ごとに固有設定情報に含まれる固有設定値を、設定する（ステップＳ０３）。携帯情報装置２００にデフォルトで設定されている設定値を、固有設定情報に含まれる固有設定値で更新する。
【００８４】
次のステップＳ０４においては、操作を受け付けたか否かを判断する。操作部２０７がユーザーにより入力される操作を受け付けたならば操作を受け付けたと判断する。ステップＳ０４においては、受け付けられた操作の種類によって処理を分岐させる。ここでは、操作部２０７が受け付ける操作を、処理対象となるデータを指定するデータ指定操作と、設定値を変更する設定値設定操作と、ジョブの実行を指示する実行指示操作と、を含む。ステップＳ０４において受け付けられた操作が、データ指定操作ならば処理をステップＳ０５に進め、設定値設定操作ならば処理をステップＳ０７に進め、実行指示操作ならば処理をステップＳ０９に進める。
【００８５】
ステップＳ０５においては、データ指定操作に基づいて、データを特定する。例えば、表示部２０６にデータ指定画面を表示し、ユーザーにより指定されたデータを特定する。データは、フラッシュメモリ２０３に記憶されているデータであってもよいし、ネットワーク３に接続されたサーバー等に記憶されたデータであってもよい。ステップＳ０６においては、ステップＳ０５において特定されたデータを処理対象に設定し、処理をステップＳ０４に戻す。
【００８６】
ステップＳ０７においては、設定値設定操作によって変更された設定値が、変更可能か否かを判断する。ステップＳ０２において受信された固有設定情報において、設定値設定操作によって変更された設定値の設定項目に対応する制限フラグの項目に設定された値に基づいて判断する。制限フラッグの項目が「変更可」に設定されていれば処理をステップＳ０８に進めるが、制限フラグの項目が「変更不可」に設定されているならば処理をステップＳ０４に戻す。なお、制限フラグの項目が「変更不可」に設定されている場合は、携帯情報装置２００を操作するユーザーに、変更できないことを通知するようにしてもよい。例えば、表示部２０６にメッセージを表示してもよいし、ブザー音を発するようにしてもよい。ステップＳ０８においては、設定値設定操作によって変更された設定値で、それまで設定されている設定値を変更し、処理をステップＳ０４に戻す。
【００８７】
処理がステップＳ０９に進む場合は、実行指示操作が受け付けられた場合である。ステップＳ０９においては、ステップＳ０６において処理対象に設定されたデータと、それまでに設定された設定値に従って、ジョブを生成する。次のステップＳ１０においては、無線ＬＡＮＩ／Ｆ２０８を制御して、ステップＳ０２において受信された装置識別情報で特定されるＭＦＰ１００との間で通信回線を確立する。そして、確立した通信回線を用いて、ステップＳ０９において生成されたジョブを送信し(ステップＳ１１)、処理を終了する。
【００８８】
図９は、第１の実施の形態における遠隔制御処理の流れの一例を示すフローチャートである。遠隔制御処理は、ＭＦＰ１００が備えるＣＰＵ１１１が遠隔制御プログラムを実行することにより、ＣＰＵ１１１により実行される処理である。図９を参照して、ＣＰＵ１１１は、通信Ｉ／Ｆ部１１２が携帯情報装置２００，２００Ａのいずれかからアクセス要求を受信したか否かを判断する。通信Ｉ／Ｆ部１１２が携帯情報装置２００，２００Ａのいずれかからアクセス要求を受信するまで待機状態となり（ステップＳ２１でＮＯ）、アクセス要求を受信したならば（ステップＳ２１でＹＥＳ）、処理をステップＳ２２に進める。ここでは、携帯情報装置２００からアクセス要求を受信する場合を例に説明する。
【００８９】
次のステップＳ２２においては、携帯情報装置２００との間で通信回線を確立する。そして、携帯情報装置２００を操作するユーザーを認証する。アクセス要求を送信してきた携帯情報装置２００の装置識別情報とユーザー識別情報との組が予めＨＤＤ１１５に記憶されているか否かを判断する。アクセス要求を送信してきた携帯情報装置２００の装置識別情報とユーザー識別情報との組が予めＨＤＤ１１５に記憶されていれば、携帯情報装置２００を操作するユーザーを、そのユーザー識別情報で特定されるユーザーとして認証するが、そうでなければ認証しない。携帯情報装置２００を操作するユーザーを認証する場合は処理をステップＳ２４に進めるが、そうでなければ処理をステップＳ２８に進める。
【００９０】
ステップＳ２４においては、ステップＳ２２において確立された通信回線を介してジョブを受信したか否かを判断する。ジョブを受信するまで待機状態となり（ステップＳ２４でＮＯ）、ジョブを受信したならば（ステップＳ２４でＹＥＳ）、処理をステップＳ２５に進める。ステップＳ２５においては、ジョブに含まれる設定値が制限範囲内か否かを判断する。制限範囲内ならば処理をステップＳ２６に進めるが、そうでなければ処理をステップＳ２８に進める。ＨＤＤ１１５に、設定値を制限する範囲を予め定めた制限情報を記憶しておき、その制限情報を用いて、受信されたジョブで設定されている設定値が、制限された範囲内であるか否かを判断する。
【００９１】
ステップＳ２６においては、ステップＳ２４において受信されたジョブを実行し、処理をステップＳ２７に進める。ステップＳ２７においては、ステップＳ２２において確立した通信回線を切断し、処理を終了する。一方、ステップＳ２８においては、ステップＳ２２において確立した通信回線を介して、エラーを携帯情報装置２００に送信し、処理をステップＳ２７に進める。携帯情報装置２００にジョブが実行できないことを通知するためである。
【００９２】
＜変形例＞
上述した第１の実施の形態において、ＭＦＰ１００に貼り付けられたＮＦＣタグ１１７Ａは、パッシブ型のタグであった。変形例におけるＭＦＰ１００は、アクティブ型のＮＦＣタグ１１７Ｂを備えたものである。以下、第１の実施の形態における画像処理システムと異なる点を主に説明する。変形例におけるＮＦＣタグ１１７Ｂは、ＣＰＵ１１１がＮＦＰ１１７Ｂが備えるメモリーの内容の書き換えが可能である。
【００９３】
図１０は、第１の実施の形態の変形例におけるＭＦＰが備えるＣＰＵの機能の一例を示すブロック図である。図１０に示す機能が、図７に示した機能と異なる点は、設定前情報設定部５１が追加された点である。その他の機能は、図７に示した機能と同じなのでここでは説明を繰り返さない。図１０を参照して、設定前情報設定部５１は、ＮＦＣタグ１１７Ｂのメモリーに、ＭＦＰ１００の装置識別情報および固有設定情報を記憶させる。ＭＦＰ１００の装置識別情報および固有設定情報は、ＭＦＰ１００にデフォルトで設定された固有設定値および制限情報として、ＨＤＤ１１５に予め記憶されている。
【００９４】
また、設定前情報設定部５１は、ＭＦＰ１００を管理するユーザーが、操作部１６３を操作して、書き込み指示を入力する場合に、ＮＦＣタグ１１７Ｂのメモリーに、ＭＦＰ１００の装置識別情報および固有設定情報を記憶させるようにしてもよい。また、設定前情報設定部５１は、固有設定値または制限情報が変更されるごとに、ＮＦＣタグ１１７Ｂのメモリーに、ＭＦＰ１００の装置識別情報および固有設定情報を記憶させるようにしてもよい。
【００９５】
以上説明したように第１の実施の形態における携帯情報装置２００は、ＭＦＰ１００に張り付けられたＮＦＣタグ１１７Ａから第１の距離内まで近づくと、ＮＦＣタグ１１７ＡからＭＦＰ１００の装置識別情報および固有設定情報を取得し、固有設定情報に含まれる固有設定値を設定し、設定された設定値に基づいてジョブを生成し、装置識別情報で特定されるＭＦＰ１００にジョブを送信する。このため、携帯情報装置２００を、ＭＦＰ１００に張り付けられたＮＦＣタグ１１７Ａから第１の距離内まで近づける操作で、ＭＦＰ１００に管理者によって定められた設定値である固有設定値を携帯情報装置２００に設定することができるとともに、ジョブを送信する先のＭＦＰ１００を携帯情報装置２００に設定することができる。さらに、ＭＦＰ１００の固有設定値に基づいて生成されたジョブをＭＦＰ１００に送信するので、ＭＦＰ１００で実行可能なジョブをＭＦＰ１００に実行させることができる。
【００９６】
また、設定値の入力を受け付けるための設定画面を表示する前に、固有設定値を設定するので、ユーザーが設定値を設定する前に、固有設定値をユーザーに知らせることができる。さらに、固有設定情報に制限フラグの項目に「変更不可」が設定されている設定項目の固有設定値を、変更しないようにしたので、携帯情報装置２００で設定可能な設定値を、ＭＦＰ１００で設定可能な範囲に制限することができる。
【００９７】
また、無線ＬＡＮＩ／Ｆ２０８を制御して、ＭＦＰ１００と通信回線を確立し、確立された通信回線を用いてジョブを送信するので、データ量の多いジョブをＭＦＰ１００に送信することができる。
【００９８】
＜第２の実施の形態＞
第２の実施の形態における画像処理システムは、ＭＦＰ１００が、ＮＦＣ規格に従って携帯情報装置２００と通信する機能を有する点で、第１の実施の形態における画像処理システムと異なる。以下、第１の実施の形態における画像処理システムと異なる点を主に説明する。
【００９９】
第２の実施の形態における画像処理システムの全体概要は、図１に示した全体概要と同じである。第２の実施の形態における携帯情報装置２００のハードウェア構成は、図５に示した構成と同じである。したがって、ここでは説明を繰り返さない。
【０１００】
図１１は、第２の実施の形態におけるＭＦＰが備えるハードウェアの構成の一例を示す図である。図５に示したハードウェアの構成と異なる点は、メイン回路１１０に第１装置側通信部１１７が追加された点である。その他のハードウェアは図５に示した構成と同じなのでここでは説明を繰り返さない。第１装置側通信部１１７は、ＮＦＣ規格に基づき、携帯情報装置２００と無線により通信する。第１装置側通信部１１７は、携帯情報装置２００との間の距離が、第１の距離以下となると携帯情報装置２００と通信する。第１の距離は、例えば、１０数ｃｍである。
【０１０１】
第１装置側通信部１１７は、通信Ｉ／Ｆ部１１２が携帯情報装置２００，２００のいずれかと通信可能となるように、通信Ｉ／Ｆ部１１２が携帯情報装置２００との間で通信回線を確立するための手順を実行する。これにより、ユーザーは、例えば、携帯情報装置２００を、第１装置側通信部１１７から第１の距離の範囲内に近づければ、通信Ｉ／Ｆ部１１２が携帯情報装置２００との間で通信回線を確立する。ユーザーが、携帯情報装置２００をＭＦＰ１００に近づける操作が、通信Ｉ／Ｆ部１１２と携帯情報装置２００との間の通信回線の確立を指示する操作と判断するので、ユーザーは、携帯情報装置２００に送信先のＭＦＰ１００を指定する等の操作が不要となる。
【０１０２】
第２の実施の形態におけるＭＦＰ１００が備える操作パネル１６０は、図４に示した平面図と、ＮＦＣタグ１１７Ａを除いて同じである。第２の実施の形態におけるＭＦＰ１００が備える操作パネル１６０は、ＮＦＣタグ１１７Ａに代えて接触位置通知領域１１７Ｃが配置される。接触位置通知領域１１７Ｃは、第１装置側通信部１１７のアンテナが配置される。接触位置通知領域１１７Ｃは、ユーザーに、携帯情報装置２００を近づける位置を通知するための単なる表示である。
【０１０３】
図１２は、第２の実施の形態における携帯情報装置が備えるＣＰＵの機能の一例を示す図である。図１２を参照して、図６に示した機能と異なる点は、設定前取得部２５１が設定前取得部２５１Ａに変更された点である。その他の機能は、図６に示した機能と同じなので、ここでは説明を繰り返さない。
【０１０４】
設定前取得部２５１Ａは、ＭＦＰ１００の装置識別情報と固有設定情報とを取得する。設定前取得部２５１Ａは、受信制御部２６１Ａを含む。受信制御部２６１Ａは、第１携帯側通信部２０９を制御して、第１携帯側通信部２０９がＭＦＰ１００が備える第１装置側通信部１１７と通信可能になると、第１装置側通信部１１７から装置識別情報と固有設定情報とを受信する。換言すれば、受信制御部２６１Ａは、携帯情報装置２００がＭＦＰ１００の操作パネル１６０に示された接触位置通知領域１１７Ｃから第１の距離以内に近づくと、装置識別情報と固有設定情報とを受信する。受信制御部２６１Ａは、ＭＦＰ１００から受信されたＭＦＰ１００の装置識別情報を、通信制御部２５９に出力し、ＭＦＰ１００から受信されたＭＦＰ１００の固有設定情報を設定部２５３に出力する。
【０１０５】
通信制御部２５９は、設定前取得部２５１からＭＦＰ１００の装置識別情報が入力されることに応じて、無線ＬＡＮＩ／Ｆ２０８を制御して、装置識別情報を用いてＭＦＰ１００との間で通信回線を確立する。
【０１０６】
換言すれば、第１携帯側通信部２０９は、無線ＬＡＮＩ／Ｆ２０８がＭＦＰ１００と通信可能となるように、ＭＦＰ１００とペアリングする。これにより、ユーザーは、携帯情報装置２００を、ＭＦＰ１００の操作パネル１６０に示された接触位置通知領域１１７Ｃから第１の距離の範囲内に近づければ、無線ＬＡＮＩ／Ｆ２０８が、ＭＦＰ１００と通信可能となる。なお、無線ＬＡＮＩ／Ｆ２０８に代えて、Ｂｌｕｅｔｏｏｔｈ（登録商標）規格、または、ＩｒＤＡ格等に基づき無線通信するインターフェースであってもよい。
【０１０７】
図１３は、第２の実施の形態におけるＭＦＰが備えるＣＰＵの機能の一例を示す図である。図１３を参照して、図７に示した機能と異なる点は、設定前情報送信部５１Ａ、ＮＦＣ通信制御部６３が追加された点、認証部５５が認証部５５Ａに変更された点である。その他の機能は、図７に示した機能と同じなので、ここでは説明を繰り返さない。
【０１０８】
ＮＦＣ通信制御部６３は、第１装置側通信部１１７を制御し、第１装置側通信部１１７が携帯情報装置２００と通信可能になると、携帯情報装置２００と通信する。ＮＦＣ通信制御部６３は、第１装置側通信部１１７が通信可能になった携帯情報装置２００から携帯情報装置２００の装置識別情報を受信し、受信された装置識別情報を認証部５５Ａに出力する。
【０１０９】
認証部５５Ａは、携帯情報装置２００の装置識別情報が入力されることに応じて、携帯情報装置２００を操作するユーザーを認証する。ＨＤＤ１１５に、ＭＦＰ１００を操作する権限を与えたユーザーのユーザー識別情報と、そのユーザーに割り当てられた装置の装置識別情報との組を記憶している。認証部５５Ａは、ＮＦＣ通信制御部６３から入力される装置識別情報が、ＨＤＤ１１５に記憶されていれば、その装置識別情報と組になるユーザー識別情報で特定されるユーザーを認証し、設定前情報送信部５１Ａに認証成功信号を出力する。
【０１１０】
設定前情報送信部５１Ａは、認証部５５Ａから認証成功信号が入力されることに応じて、ＨＤＤ１１５に記憶されているＭＦＰ１００の装置識別情報および固有設定情報の組を、ＮＦＣ通信制御部６３に出力する。
【０１１１】
ＮＦＣ通信制御部６３は、設定前情報送信部５１ＡからＭＦＰ１００の装置識別情報および固有設定情報の組が入力されることに応じて、ＭＦＰ１００の装置識別情報および固有設定情報の組を携帯情報装置２００に送信するとともに、装置側通信制御部５３Ａに携帯情報装置２００の装置識別情報を出力する。
【０１１２】
装置側通信制御部５３Ａは、第１装置側通信部１１７が携帯情報装置２００と通信可能になり、かつ、認証部５５Ａによって携帯情報装置２００を操作するユーザーの認証が成功する場合に、ＮＦＣ通信制御部６３から携帯情報装置２００の装置識別情報が入力される。装置側通信制御部５３Ａは、ＮＦＣ通信制御部６３から携帯情報装置２００の装置識別情報が入力された後に、その装置識別情報で特定される携帯情報装置２００から接続要求を通信Ｉ／Ｆ部１１２が受信すると、携帯情報装置２００との間で通信回線を確立する。装置側通信制御部５３Ａは、携帯情報装置２００との間で通信回線を確立した後、その通信回線を介して携帯情報装置２００からジョブを受信すると、受信されたジョブをジョブ受信部５７に出力する。
【０１１３】
図１４は、第２の実施の形態における遠隔操作処理の一例を示すフローチャートである。図１４を参照して、図８に示した遠隔操作処理と異なる点は、ステップＳ０１、ステップＳ０２およびステップＳ１０が、ステップＳ０１Ａ、ステップＳ０２ＡおよびステップＳ１０Ａに変更された点である。その他の処理は、図８に示した処理と同じなのでここでは説明を繰り返さない。
【０１１４】
ステップＳ０１Ａにおいては、ＣＰＵ２０１は、ＭＦＰ１００が備える第１装置側通信部１１７とＮＦＣ規格に基づく通信が可能になったか否かを判断する（ステップＳ０１Ａ）。第１携帯側通信部２０９が第１装置側通信部１１７と通信可能になるまで待機状態となり（ステップＳ０１ＡでＮＯ）、第１装置側通信部１１７と通信可能になったならば（ステップＳ０１ＡでＹＥＳ）、処理をステップＳ０２Ａに進める。第１携帯側通信部２０９の通信可能な範囲は、１０数ｃｍなので、ユーザーが携帯情報装置２００を操作パネル１６０の接触位置通知領域１１７Ｂに近づけると、第１携帯側通信部２０９が第１装置側通信部１１７と通信可能になる。
【０１１５】
ステップＳ０２Ａにおいては、第１携帯側通信部２０９を制御して、ＭＦＰ１００から装置識別情報と固有設定情報とを受信する。ステップＳ１０Ａにおいては、無線ＬＡＮＩ／Ｆ２０８を制御して、ステップＳ０２Ａにおいて受信された装置識別情報で特定されるＭＦＰ１００との間で通信回線を確立する。そして、確立した通信回線を用いて、ステップＳ０９において生成されたジョブを送信し(ステップＳ１１)、処理を終了する。
【０１１６】
図１５は、第２の実施の形態における遠隔制御処理の流れの一例を示すフローチャートである。図１５を参照して、図９に示した遠隔制御処理と異なる点は、ステップＳ３１〜ステップＳ３４が追加された点、ステップＳ２１がステップＳ２１Ａに変更された点、ステップＳ２３が削除された点である。その他の処理は、図９に示した処理と同じなので、ここでは説明を繰り返さない。
【０１１７】
ＣＰＵ１１１は、ステップＳ３１において、第１装置側通信部１１７が携帯情報装置２００とＮＦＣ規格の通信が可能となったか否かを判断する。ＮＦＣ規格の通信が可能になるまで待機状態となり（ステップＳ３１でＮＯ）、通信が可能になったならば（ステップＳ３１でＹＥＳ）、処理をステップＳ３２に進める。ステップＳ３２においては、通信可能となった携帯情報装置２００から携帯情報装置２００の装置識別情報を受信する。そして、装置識別情報を用いて携帯情報装置２００を操作するユーザーを認証する（ステップＳ３３）。認証に成功したならば処理をステップＳ３４に進めるが、そうでなければ処理を終了する。ＨＤＤ１１５に、ＭＦＰ１００を操作する権限を与えたユーザーのユーザー識別情報と、そのユーザーに割り当てられた装置の装置識別情報との組を記憶しており、携帯情報装置２００から受信された装置識別情報が、ＨＤＤ１１５に記憶されていれば、その装置識別情報と組になるユーザー識別情報で特定されるユーザーを認証するが、記憶されていなければ認証しない。
【０１１８】
ステップＳ３４においては、第１装置側通信部１１７を介して、装置識別情報と固有設定情報とを携帯情報装置２００に送信し、処理をステップＳ２１Ａに進める。
【０１１９】
ステップＳ２１Ａにおいては、通信Ｉ／Ｆ部１１２が、ステップＳ３２おいて受信された装置識別情報で特定される携帯情報装置２００からアクセス要求を受信したか否かを判断する。通信Ｉ／Ｆ部１１２が携帯情報装置２００からアクセス要求を受信するまで待機状態となり（ステップＳ２１ＡでＮＯ）、アクセス要求を受信したならば（ステップＳ２１ＡでＹＥＳ）、処理をステップＳ２２に進める。
【０１２０】
以上説明したように、第２の実施の形態における画像処理システムは、第１の実施の形態における画像処理システムが有する効果に加えて、次の効果を有する。携帯情報装置２００が、ＭＦＰ１００が備えるＮＦＣタグ１１７Ａのアンテナから第１の距離の範囲内まで近づくと、第１携帯側通信部２０９がＭＦＰ１００と通信可能になり、ＭＦＰ１００から装置識別情報と固有設定情報とを受信し、無線ＬＡＮＩ／Ｆ２０８を制御してＭＦＰ１００との間で通信回線を確立し、無線ＬＡＮＩ／Ｆ２０８を制御して、ＭＦＰ１００にジョブを送信する。このため、携帯情報装置２００をＭＦＰ１００から第１の距離まで近づける操作で、ＭＦＰ１００との間で無線ＬＡＮＩ／Ｆを制御して通信回線を確立するので、ＭＦＰ１００とジョブを送信するための通信回線を確立する操作を容易にすることができる。
【０１２１】
＜第３の実施の形態＞
第１および第２の実施の形態における画像処理システム１は、携帯情報装置２００が、ＮＦＣ規格に従った通信をする場合を例に説明したが、第３の実施の形態における画像処理システム１は、携帯情報装置２００が、ＮＦＣ規格に従った通信をしない。以下、第３の実施の形態における画像処理システム１について第１の実施の形態における画像処理システム１と異なる点を主に説明する。第３の実施の形態における画像処理システムの全体概要は、図１に示した全体概要と同じである。
【０１２２】
図１６は、第３の実施の形態におけるＭＦＰが備えるハードウェアの構成の一例を示す図である。図１６を参照して、図３に示したハードウェアの構成と異なる点は、メイン回路１１０に第２装置側通信部１１８が追加された点である。その他のハードウェアは図５に示した構成と同じなのでここでは説明を繰り返さない。第２装置側通信部１１８は、Ｂｌｕｅ  ｔｏｏｔｈ（登録商標）規格に基づき無線により通信する。第１装置側通信部１１７が通信可能な距離は、第１の距離より長い第２の距離以下である。第２の距離は、例えば、１０ｍ以上である。
【０１２３】
図１７は、第３の実施の形態における携帯情報装置のハードウェア構成の一例を示す図である。図１７を参照して、図５に示したハードウェアの構成と異なる点は、第１携帯側通信部２０９が削除された点、第２携帯側通信部２１０が追加された点である。その他のハードウェアは図５に示した構成と同じなのでここでは説明を繰り返さない。第２携帯側通信部２１０は、Ｂｌｕｅ  ｔｏｏｔｈ（登録商標）規格に基づき無線により通信する。
【０１２４】
第３の実施の形態におけるＭＦＰ１００は、第２装置側通信部１１８が通信可能な範囲に、携帯情報装置２００が存在する場合、携帯情報装置２００を検出し、携帯情報装置２００と通信する。このため、ユーザーが携帯情報装置２００を携帯して、ＭＦＰ１００から第２の距離の範囲内に進入すれば、ＭＦＰ１００と携帯情報装置２００とが通信を開始する。第２の距離は第１の距離より長い。これにより、ユーザーは、携帯情報装置２００を、ＭＦＰ１００から第２の距離の範囲内に近づければ、第２携帯側通信部２１０が、ＭＦＰ１００と通信可能となる。なお、第２携帯側通信部２１０は、Ｂｌｕｅｔｏｏｔｈ（登録商標）規格に代えて、ＩｒＤＡ格等に基づき無線通信するインターフェースであってもよい。
【０１２５】
図１８は、第３の実施の形態における携帯情報装置が備えるＣＰＵの機能の一例を示す図である。図１８を参照して、図６に示した機能と異なる点は、設定前取得部２５１が設定前取得部２５１Ｂに変更された点、携帯側近距離通信制御部２８１が追加された点である。その他の機能は、図６に示した機能と同じなので、ここでは説明を繰り返さない。
【０１２６】
携帯側近距離通信制御部２８１は、第２携帯側通信部２１０を制御して、第２携帯側通信部２１０がＭＦＰ１００が備える第２装置側通信部１１８と通信可能になると、ＭＦＰ１００との間で通信回線を確立する。携帯側近距離通信制御部２８１は、ＭＦＰ１００との間で確立した通信回線を識別するための回線識別情報を設定前取得部２５１Ｂに出力する。換言すれば、携帯側近距離通信制御部２８１は、携帯情報装置２００がＭＦＰ１００から第２の距離以内に近づくと、ＭＦＰ１００との間で通信回線を確立する。
【０１２７】
設定前取得部２５１Ｂは、ＭＦＰ１００の装置識別情報と固有設定情報とを取得する。設定前取得部２５１Ｂは、受信制御部２６１Ｂを含む。受信制御部２６１Ｂは、携帯側近距離通信制御部２８１から回線識別情報が入力されることに応じて、第２携帯側通信部２１０を制御して、回線識別情報で特定される通信回線を介して、携帯情報装置２００の装置識別情報を送信させる。携帯情報装置２００の装置識別情報を受信するＭＦＰ１００の動作については後述するが、認証に成功する場合にＭＦＰ１００の装置識別情報と固有設定情報とを返信する。受信制御部２６１Ｂは、第２携帯側通信部２１０がＭＦＰ１００から装置識別情報と固有設定情報とを受信すると、その装置識別情報と固有設定情報とを取得する。受信制御部２６１Ｂは、受信されたＭＦＰ１００の固有設定情報を設定部２５３の固有設定値設定部２７１および制限部２７５に出力する。
【０１２８】
図１９は、第３の実施の形態におけるＭＦＰが備えるＣＰＵの機能の一例を示す図である。図１９を参照して、図７に示した機能と異なる点は、設定前情報送信部５１Ｂが追加された点、装置側通信制御部５３および認証部５５が装置側近距離通信制御部５３Ｂおよび認証部５５Ｂに変更された点である。その他の機能は、図７に示した機能と同じなので、ここでは説明を繰り返さない。
【０１２９】
装置側近距離通信制御部５３Ｂは、第２装置側通信部１１８を制御し、第２装置側通信部１１８が携帯情報装置２００と通信可能になると、携帯情報装置２００と通信する。装置側近距離通信制御部５３Ｂは、第２装置側通信部１１８が通信可能になった携帯情報装置２００から携帯情報装置２００の装置識別情報を受信し、受信された装置識別情報を認証部５５Ｂに出力する。
【０１３０】
認証部５５Ｂは、携帯情報装置２００の装置識別情報が入力されることに応じて、携帯情報装置２００を操作するユーザーを認証する。ＨＤＤ１１５に、ＭＦＰ１００を操作する権限を与えたユーザーのユーザー識別情報と、そのユーザーに割り当てられた装置の装置識別情報との組を記憶している。認証部５５Ｂは、装置側近距離通信制御部５３Ｂから入力される装置識別情報が、ＨＤＤ１１５に記憶されていれば、その装置識別情報と組になるユーザー識別情報で特定されるユーザーを認証し、設定前情報送信部５１Ｂに認証成功信号を出力する。
【０１３１】
設定前情報送信部５１Ｂは、認証部５５Ｂから認証成功信号が入力されることに応じて、ＨＤＤ１１５に記憶されているＭＦＰ１００の装置識別情報および固有設定情報の組を、装置側近距離通信制御部５３Ｂに出力する。
【０１３２】
装置側近距離通信制御部５３Ｂは、設定前情報送信部５１ＢからＭＦＰ１００の装置識別情報および固有設定情報の組が入力されることに応じて、ＭＦＰ１００の装置識別情報および固有設定情報の組を携帯情報装置２００に送信する。装置側近距離通信制御部５３Ｂは、第２装置側通信部１１７が携帯情報装置２００と通信可能になり、かつ、認証部５５Ｂによって携帯情報装置２００を操作するユーザーの認証が成功する場合に、ＭＦＰ１００の装置識別情報および固有設定情報の組を携帯情報装置２００に送信する。装置側近距離通信制御部５３Ｂは、ＭＦＰ１００の装置識別情報および固有設定情報の組を携帯情報装置２００に送信した後、携帯情報装置２００からジョブを受信すると、受信されたジョブをジョブ受信部５７に出力する。
【０１３３】
図２０は、第３の実施の形態における遠隔操作処理の一例を示すフローチャートである。図２０を参照して、図１４に示した第２の実施の形態における遠隔操作処理と異なる点は、ステップＳ０１Ａ、ステップＳ０２ＡおよびステップＳ１１が、ステップＳ０１Ｂ、ステップＳ０２ＢおよびステップＳ１１Ｂに変更された点、ステップＳ１０Ａが削除された点である。その他の処理は、図１４に示した処理と同じなのでここでは説明を繰り返さない。
【０１３４】
ステップＳ０１Ｂにおいては、ＣＰＵ２０１は、ＭＦＰ１００が備える第２装置側通信部１１８と通信可能になったか否かを判断する（ステップＳ０１Ｂ）。第２携帯側通信部２１０が第２装置側通信部１１８と通信可能になるまで待機状態となり（ステップＳ０１ＢでＮＯ）、第２装置側通信部１１８と通信可能になったならば（ステップＳ０１ＢでＹＥＳ）、処理をステップＳ０２Ｂに進める。第２携帯側通信部２１０の通信可能な範囲は、１０数ｍなので、ユーザーが携帯情報装置２００を携帯してＭＦＰ１００から１０数ｍ以内に進入すると、第２携帯側通信部２１０が第２装置側通信部１１８と通信可能になる。
【０１３５】
ステップＳ０２Ｂにおいては、第２携帯側通信部２１０を制御して、ＭＦＰ１００から装置識別情報と固有設定情報とを受信する。ステップＳ１１Ｂにおいては、第２携帯側通信部２１０を制御して、ステップＳ０２Ｂにおいて受信された装置識別情報で特定されるＭＦＰ１００に、ステップＳ０９において生成されたジョブを送信し、処理を終了する。
【０１３６】
図２１は、第３の実施の形態における遠隔制御処理の流れの一例を示すフローチャートである。図２１を参照して、図１５に示した第２の実施の形態における遠隔制御処理と異なる点は、ステップＳ２１Ａ、ステップＳ２２が削除された点、ステップＳ３１、ステップＳ３４およびステップＳ２４が、ステップＳ３１Ｂ、ステップＳ３４ＢおよびステップＳ２４Ｂに変更された点である。その他の処理は、図９に示した処理と同じなので、ここでは説明を繰り返さない。
【０１３７】
ＣＰＵ１１１は、ステップＳ３１Ｂにおいて、第２装置側通信部１１８が携帯情報装置２００と近距離の通信が可能となったか否かを判断する。近距離の通信が可能になるまで待機状態となり（ステップＳ３１ＢでＮＯ）、近距離の通信が可能になったならば（ステップＳ３１ＢでＹＥＳ）、処理をステップＳ３２に進める。ステップＳ３２においては、通信可能となった携帯情報装置２００から携帯情報装置２００の装置識別情報を受信する。そして、装置識別情報を用いて携帯情報装置２００を操作するユーザーを認証する（ステップＳ３３）。認証に成功したならば処理をステップＳ３４に進めるが、そうでなければ処理をステップＳ２８に進める。
【０１３８】
ステップＳ３４Ｂにおいては、第２装置側通信部１１８を介して、装置識別情報と固有設定情報とを携帯情報装置２００に送信し、処理をステップＳ２４Ｂに進める。ステップＳ２４Ｂにおいては、第２装置側通信部１１８がＭＦＰ１００からジョブを受信したか否かを判断する。ジョブを受信するまで待機状態となり（ステップＳ２４ＢでＮＯ）、ジョブを受信したならば（ステップＳ２４ＢでＹＥＳ）、処理をステップＳ２５に進める。
【０１３９】
以上説明したように、第３の実施の形態における画像処理システムにおいて、携帯情報装置２００は、ＭＦＰ１００から所定の距離の範囲内になるとＭＦＰ１００との間で通信回線を確立し、ＭＦＰ１００から装置識別情報と固有設定値とを受信する。さらに、携帯情報装置２００は、固有設定値を設定し、設定された固有設定値に基づいてジョブを生成し、生成されたジョブを確立された通信回線を用いて送信する。このため、携帯情報装置２００を画像形成装置から所定の距離の範囲内に携帯情報装置を近づける操作で、携帯情報装置にＭＦＰ１００に設定された固有設定値を設定することができ、携帯情報装置２００からＭＦＰ１００にジョブを送信可能となる。
【０１４０】
＜第４の実施の形態＞
第１および第２の実施の形態における画像処理システム１は、携帯情報装置２００が、ＮＦＣ規格に従った通信をする場合を例に説明したが、第４の実施の形態における画像処理システム１は、携帯情報装置２００が、ＮＦＣ規格に従った通信をしない。以下、第４の実施の形態における画像処理システム１について第１の実施の形態における画像処理システム１と異なる点を主に説明する。第４の実施の形態における画像処理システムの全体概要は、図１に示した全体概要と同じである。第４の実施の形態におけるＭＦＰが備えるハードウェアの構成は、図３に示したハードウェア構成と同じである。従ってここでは説明を繰り返さない。
【０１４１】
第４の実施の形態におけるＭＦＰ１００は、表示部１６１にＭＦＰ１００の装置識別情報と固有設定情報とを表示し、携帯情報装置２００が、表示部１６１に表示されたＭＦＰ１００の装置識別情報と固有設定情報とを、カメラ２０２で撮像し、得られる画像を解析することによって、携帯情報装置２００がＭＦＰ１００のすることによっての装置識別情報と固有設定情報とを取得する。
【０１４２】
図２２は、第４の実施の形態における携帯情報装置のハードウェア構成の一例を示す図である。図２２を参照して、図５に示したハードウェア構成と異なる点は、第１携帯側通信部２０９が削除された点である。その他の構成は、図５に示した構成と同じなので、ここでは説明を繰り返さない。
【０１４３】
図２３は、第４の実施の形態におけるＭＦＰが備えるＣＰＵの機能の一例を示す図である。図２３を参照して、図７に示した機能と異なる点は、設定前情報表示部６９が追加された点である。その他の機能は、図７に示した機能と同じなので、ここでは説明を繰り返さない。
【０１４４】
設定前情報表示部６９は、ＭＦＰ１００の装置識別情報と固有設定情報とをコード化した二次元バーコードを表示部１６１に表示する。なお、二次元バーコードに代えて、装置識別情報と固有設定情報の文字を表示するようにしてもよい。
【０１４５】
図２４は、二次元バーコードを表示した状態の操作パネルの平面図の一例を示す図である。図２４を参照して、操作パネル１６１の表示部１６１に、二次元バーコード３０１が表示されている。二次元バーコードは、例えば、ＱＲコード（登録商標）である。
【０１４６】
図２５は、第４の実施の形態における携帯情報装置が備えるＣＰＵの機能の一例を示す図である。図２５を参照して、図６に示した機能と異なる点は、設定前取得部２５１が設定前取得部２５１Ｃに変更された点である。その他の機能は、図６に示した機能と同じなので、ここでは説明を繰り返さない。
【０１４７】
設定前取得部２５１Ｃは、ＭＦＰ１００の装置識別情報と固有設定情報とを取得する。設定前取得部２５１Ｃは、コード読取部２６３を含む。コード読取部２６３は、カメラ２０２を制御して、被写体を撮像する。被写体はユーザーが決定するが、ユーザーがＭＦＰ１００の表示部１６１に表示された二次元バーコード３０１を被写体とすれば、カメラ２０２は、その二次元バーコード３０１を撮像するので、コード読取部２６３は、カメラ２０２が出力する二次元バーコード３０１の画像を取得する。コード読取部２６３は、取得された二次元バーコード３０１を解析し、ＭＦＰ１００の装置識別情報と固有設定情報とを取得する。なお、二次元バーコードをカメラ２０２で撮像し、得られる二次元バーコードの画像を解析するアプリケーションプログラムは、一般的に知られている従来のアプリケーションプログラムを用いればよい。コード読取部２６３は、得られたＭＦＰ１００の装置識別情報を通信制御部２５９に出力し、ＭＦＰ１００の固有設定情報を設定部２５３の初期設定部２７１および制限部２７５に出力する。
【０１４８】
図２６は、第４の実施の形態における遠隔操作処理の一例を示すフローチャートである。図２６を参照して、図８に示した第１の実施の形態における遠隔操作処理と異なる点は、ステップＳ０１、ステップＳ０２に代えて、ステップＳ４１〜ステップＳ４３が追加された点、ステップＳ１０がステップＳ１０Ｃに変更された点である。その他の処理は、図８に示した処理と同じなのでここでは説明を繰り返さない。
【０１４９】
ステップＳ４１においては、ＣＰＵ２０１は、ユーザーにより撮像指示を受け付けたか否かを判断する。撮像指示を受け付けるまで待機状態となり（ステップＳ４１でＮＯ）、撮像指示を受け付けたならば（ステップＳ４１でＹＥＳ）、処理をステップＳ４２に進める。ステップＳ４２においては、カメラ２０２を制御して、被写体を撮像する。ユーザーがＭＦＰ１００の表示部１６１に表示された二次元バーコードを被写体とすれば、カメラ２０２は、その二次元バーコードを撮像するので、カメラ２０２が出力する二次元バーコードの画像を取得する。ステップＳ４３においては、撮像により得られた画像を解析し、ＭＦＰ１００の装置識別情報と固有設定情報とを取得し、処理をステップＳ０３に進める。
【０１５０】
第４の実施の形態におけるＭＦＰ１００が実行する遠隔制御処理は、図９に示した第１の実施の形態における遠隔制御処理と同じである。したがって、ここでは説明を繰り返さない。
【０１５１】
以上説明したように、第４の実施の形態における画像処理システムにおいて、携帯情報装置２００は、ＭＦＰ１００の表示部１６１に表示された二次元バーコードをカメラ２０２で撮像し、撮像して得られる二次元バーコードを解析して、ＭＦＰ１００の装置識別情報および固有設定情報を取得する。このため、携帯情報装置２００を操作するユーザーは、ＭＦＰ１００の表示部１６１に表示された二次元バーコードをカメラ２０２で撮像する簡単な操作で、携帯情報装置２００にＭＦＰ１００に設定された固有設定値を設定することができ、ジョブの送信先のＭＦＰ１００を設定することができる。
【０１５２】
なお、上述した実施の形態においては、携帯情報装置２００について説明したが、図８、図１４、図２０または図２６に示した遠隔操作処理を携帯情報装置２００に実行させる遠隔操作方法、その遠隔操作方法を携帯情報装置２００が備えるＣＰＵ２０１に実行させる遠隔操作プログラムとして発明を捉えることができるのは言うまでもない。
【０１５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１５４】
１  画像処理システム、３  ネットワーク、５  無線局、１００  ＭＦＰ、１１０  メイン回路、１１１  ＣＰＵ、１１２  通信Ｉ／Ｆ部、１１３  ＲＯＭ、１１４  ＲＡＭ、１１５  ＨＤＤ、１１６  ファクシミリ部、１１７  第１装置側通信部、１１７Ａ，１１７Ｂ  ＮＦＣタグ、１１７Ｃ  接触位置通知領域、１１８  第２装置側通信部、１１９  外部記憶装置、１１９Ａ  ＣＤ−ＲＯＭ、１２０  自動原稿搬送装置、１３０  原稿読取部、１４０  画像形成部、１５０  給紙部、１５５  後処理部、１６０  操作パネル、１６１  表示部、１６３  操作部、１６５  タッチパネル、１６７  ハードキー部、２００，２００Ａ  携帯情報装置、２０１  ＣＰＵ、２０２  カメラ、２０３  フラッシュメモリ、２０４  無線通信部、２０５  通話部、２０６  表示部、２０７  操作部、２０８  無線ＬＡＮＩ／Ｆ、２０９  第１携帯側通信部、２１０  第２携帯側通信部、２１１  外部記憶装置、５１，５１Ａ，５１Ｂ  設定前情報送信部、５３，５３Ａ  装置側通信制御部、５３Ｂ  装置側近距離通信制御部、５５，５５Ａ，５５Ｂ  認証部、５７  ジョブ受信部、５９  制限確認部、６１  ジョブ実行部、６３  ＮＦＣ通信制御部、６９  設定前情報表示部、２５１，２５１Ａ，２５１Ｂ，２５１Ｃ  設定前取得部、２５３  設定部、２５５  ジョブ生成部、２５７  ジョブ送信部、２５９  通信制御部、２６１，２６１Ａ，２６１Ｂ  受信制御部、２６３  コード読取部、２７１  初期設定部、２７３  変更部、２７５  制限部、２８１  携帯側近距離通信制御部、３０１  二次元バーコード。
【図１】
2016072774.tif 000003
【図２】
2016072774.tif 000004
【図３】
2016072774.tif 000005
【図４】
2016072774.tif 000006
【図５】
2016072774.tif 000007
【図６】
2016072774.tif 000008
【図７】
2016072774.tif 000009
【図８】
2016072774.tif 000010
【図９】
2016072774.tif 000011
【図１０】
2016072774.tif 000012
【図１１】
2016072774.tif 000013
【図１２】
2016072774.tif 000014
【図１３】
2016072774.tif 000015
【図１４】
2016072774.tif 000016
【図１５】
2016072774.tif 000017
【図１６】
2016072774.tif 000018
【図１７】
2016072774.tif 000019
【図１８】
2016072774.tif 000020
【図１９】
2016072774.tif 000021
【図２０】
2016072774.tif 000022
【図２１】
2016072774.tif 000023
【図２２】
2016072774.tif 000024
【図２３】
2016072774.tif 000025
【図２４】
2016072774.tif 000026
【図２５】
2016072774.tif 000027
【図２６】
2016072774.tif 000028